(57)【要約】【課題】画像処理装置においてファイル形式の変換を伴う画像処理を実行する際に画像処理で生成されるファイルを示すアイコン画像のルックアンドフィールを、リモート端末で表示されるアイコン画像に合致させることを可能にする。【解決手段】リモート端末と通信を行って画像処理を行うことが可能な画像処理装置１は、  ファイル取得部２５によって取得されたファイルのファイル形式の変換を伴う画像処理を行うことが可能な画像処理部２７と、画像処理によって生成される処理後ファイルのファイル形式に対応する第２のアイコン画像をリモート端末から取得するアイコン取得部２２と、処理後ファイルに対し、アイコン取得部２２によって取得された第２のアイコン画像を表示部に表示させる表示制御部２３と、を備える構成である。【選択図】図３
2019008436.tif 000002
【特許請求の範囲】
【請求項１】
リモート端末と通信を行って画像処理を行うことが可能な画像処理装置であって、
前記リモート端末と通信を行う通信部と、
表示部と、
第１のアイコン画像に対応するファイル形式のファイルであって、画像処理の対象となるファイルを取得することが可能なファイル取得手段と、
取得した前記ファイルのファイル形式の変換を伴う画像処理を行うことが可能な画像処理手段と、
前記画像処理によって生成される処理後ファイルのファイル形式に対応する第２のアイコン画像を前記リモート端末から取得するアイコン取得手段と、
前記処理後ファイルに対し、前記アイコン取得手段によって取得された前記第２のアイコン画像を前記表示部に表示させる表示制御手段と、
を備えた画像処理装置。
【請求項２】
複数の画像処理のうちから前記画像処理手段で行う画像処理を決定する画像処理決定手段を更に備え、
前記アイコン取得手段は、前記画像処理決定手段によって画像処理が決定される前に、前記リモート端末から複数のアイコン画像を取得し、
前記表示制御手段は、前記画像処理決定手段によって画像処理が決定された後に、当該画像処理によって生成される処理後ファイルのファイル形式に対応する前記第２のアイコン画像を、前記複数のアイコン画像の中から選択して表示させることを特徴とする請求項１に記載の画像処理装置。
【請求項３】
前記アイコン取得手段は、前記複数の画像処理のそれぞれによって生成され得るファイルのファイル形式に対応するアイコン画像を取得することを特徴とする請求項２に記載の画像処理装置。
【請求項４】
前記アイコン取得手段は、前記画像処理手段において前記画像処理の対象となる処理前ファイルが選択されたとき、当該処理前ファイルのファイル形式に応じて前記画像処理で生成され得るファイルのファイル形式を特定し、当該ファイル形式に対応するアイコン画像を取得することを特徴とする請求項１又は２に記載の画像処理装置。
【請求項５】
複数の画像処理のうちから前記画像処理手段で行う画像処理を決定する画像処理決定手段を更に備え、
前記アイコン取得手段は、前記画像処理決定手段によって画像処理が決定された後に、当該画像処理によって生成される処理後ファイルのファイル形式に対応する前記第２のアイコン画像を取得することを特徴とする請求項１に記載の画像処理装置。
【請求項６】
前記画像処理で生成されるファイルのファイル形式に対応するアイコン画像を記憶する記憶部を更に備え、
前記表示制御手段は、前記アイコン取得手段が前記画像処理で生成される処理後ファイルのファイル形式に対応する前記第２のアイコン画像を取得することができなかった場合、前記画像処理で生成されるファイルを、前記記憶部に記憶されているアイコン画像を用いて表示させることを特徴とする請求項１乃至５のいずれかに記載の画像処理装置。
【請求項７】
前記アイコン取得手段は、前記画像処理の対象となる処理前ファイルのファイル形式に対応する前記第１のアイコン画像を前記リモート端末から更に取得し、
前記表示制御手段は、前記画像処理の対象となるファイルを、前記アイコン取得手段によって取得される前記第１のアイコン画像を用いて表示させることを特徴とする請求項１乃至６のいずれかに記載の画像処理装置。
【請求項８】
前記通信部は、第１のリモート端末と第２のリモート端末のそれぞれと通信を行うことが可能であり、
前記画像処理手段は、前記第１のリモート端末から前記画像処理の対象となる処理前ファイルを取得し、当該処理前ファイルに対する前記画像処理を行うことによって生成するファイルを前記第２のリモート端末へ出力し、
前記アイコン取得手段は、前記画像処理の対象となる処理前ファイルのファイル形式に対応する前記第１のアイコン画像と、前記画像処理で生成される処理後ファイルのファイル形式に対応する前記第２のアイコン画像とを前記第１のリモート端末から取得し、前記第２のアイコン画像を前記第２のリモート端末へ送信することを特徴とする請求項１乃至７のいずれかに記載の画像処理装置。
【請求項９】
前記通信部は、第１のリモート端末と第２のリモート端末のそれぞれと通信を行うことが可能であり、
前記画像処理手段は、前記第１のリモート端末から前記画像処理の対象となる処理前ファイルを取得し、当該処理前ファイルに対する前記画像処理を行うことによって生成するファイルを前記第２のリモート端末へ出力し、
前記アイコン取得手段は、前記画像処理の対象となる処理前ファイルのファイル形式に対応する前記第１のアイコン画像を前記第１のリモート端末から取得し、前記画像処理で生成される処理後ファイルのファイル形式に対応する前記第２のアイコン画像を前記第２のリモート端末から取得することを特徴とする請求項１乃至７のいずれかに記載の画像処理装置。
【請求項１０】
前記表示制御手段は、前記表示部にファイル一覧画面を表示するとき、前記ファイル一覧画面に含まれるファイルであって前記画像処理で生成される処理後ファイルと同じファイル形式のファイルを、前記アイコン取得手段によって取得される前記第２のアイコン画像を用いて表示させることを特徴とする請求項１乃至９のいずれかに記載の画像処理装置。
【請求項１１】
前記アイコン取得手段は、前記通信部を介して、前記リモート端末で起動されるアプリケーションと通信を行うことにより、前記アプリケーションにおいて管理されるアイコン画像を取得することを特徴とする請求項１乃至１０のいずれかに記載の画像処理装置。
【請求項１２】
前記アイコン取得手段は、前記通信部を介して、前記リモート端末のオペレーティングシステムと通信を行うことにより、前記オペレーティングシステムにおいて管理されるアイコン画像を取得することを特徴とする請求項１乃至１０のいずれかに記載の画像処理装置。
【請求項１３】
表示部を備え、ファイル形式の変換を伴う画像処理を行うことが可能な画像処理装置において実行されるプログラムであって、前記画像処理装置の制御部に、
第１のアイコン画像に対応するファイル形式のファイルであって、画像処理の対象となるファイルを取得するファイル取得ステップと、
取得した前記ファイルのファイル形式の変換を伴う画像処理ステップと、
前記画像処理で生成される処理後ファイルのファイル形式に対応する第２のアイコン画像をリモート端末から取得するアイコン取得ステップと、
前記処理後ファイルに対し、前記リモート端末から取得した前記第２のアイコン画像を前記表示部に表示させる表示ステップと、
を実行させることを特徴とするプログラム。
【請求項１４】
前記制御部に、
複数の画像処理のうちから、行うべき画像処理を決定する画像処理決定ステップ、
を更に実行させ、
前記アイコン取得ステップは、前記画像処理決定ステップにおいて画像処理が決定される前に、前記リモート端末から複数のアイコン画像を取得し、
前記表示ステップは、前記画像処理決定ステップにおいて画像処理が決定された後に、当該画像処理によって生成される処理後ファイルのファイル形式に対応する前記第２のアイコン画像を、前記複数のアイコン画像の中から選択して表示させることを特徴とする請求項１３に記載のプログラム。
【請求項１５】
前記アイコン取得ステップは、前記複数の画像処理のそれぞれによって生成され得るファイルのファイル形式に対応するアイコン画像を取得することを特徴とする請求項１４に記載のプログラム。
【請求項１６】
前記アイコン取得ステップは、前記画像処理の対象となる処理前ファイルが選択されたとき、当該処理前ファイルのファイル形式に応じて前記画像処理で生成され得るファイルのファイル形式を特定し、当該ファイル形式に対応するアイコン画像を取得することを特徴とする請求項１３又は１４に記載のプログラム。
【請求項１７】
前記制御部に、
複数の画像処理のうちから、行うべき画像処理を決定する画像処理決定ステップ、
を更に実行させ、
前記アイコン取得ステップは、前記画像処理決定ステップにおいて画像処理が決定された後に、当該画像処理によって生成される処理後ファイルのファイル形式に対応する前記第２のアイコン画像を取得することを特徴とする請求項１３に記載のプログラム。
【請求項１８】
前記画像処理装置は、
前記画像処理で生成されるファイルのファイル形式に対応するアイコン画像を記憶する記憶部を備えており、
前記表示ステップは、前記アイコン取得ステップによって前記画像処理で生成される処理後ファイルのファイル形式に対応する前記第２のアイコン画像を取得することができなかった場合、前記画像処理で生成されるファイルを、前記記憶部に記憶されているアイコン画像を用いて表示させることを特徴とする請求項１３乃至１７のいずれかに記載のプログラム。
【請求項１９】
前記アイコン取得ステップは、前記画像処理の対象となる処理前ファイルのファイル形式に対応する前記第１のアイコン画像を前記リモート端末から更に取得し、
前記表示ステップは、前記画像処理の対象となるファイルを、前記アイコン取得ステップにおいて取得される前記第１のアイコン画像を用いて表示させることを特徴とする請求項１３乃至１８のいずれかに記載のプログラム。
【請求項２０】
前記ファイル取得ステップは、第１のリモート端末と第２のリモート端末のそれぞれと通信を行い、前記第１のリモート端末から前記画像処理の対象となる処理前ファイルを取得し、当該処理前ファイルに対する前記画像処理が行われることによって生成されるファイルを前記第２のリモート端末へ出力し、
前記アイコン取得ステップは、前記画像処理の対象となる処理前ファイルのファイル形式に対応する前記第１のアイコン画像と、前記画像処理で生成される処理後ファイルのファイル形式に対応する前記第２のアイコン画像とを前記第１のリモート端末から取得し、前記第２のアイコン画像を前記第２のリモート端末へ送信することを特徴とする請求項１３乃至１９のいずれかに記載のプログラム。
【請求項２１】
前記ファイル取得ステップは、第１のリモート端末と第２のリモート端末のそれぞれと通信を行い、前記第１のリモート端末から前記画像処理の対象となる処理前ファイルを取得し、当該処理前ファイルに対する前記画像処理が行われることによって生成されるファイルを前記第２のリモート端末へ出力し、
前記アイコン取得ステップは、前記画像処理の対象となる処理前ファイルのファイル形式に対応する前記第１のアイコン画像を前記第１のリモート端末から取得し、前記画像処理で生成される処理後ファイルのファイル形式に対応する前記第２のアイコン画像を前記第２のリモート端末から取得することを特徴とする請求項１３乃至１９のいずれかに記載のプログラム。
【請求項２２】
前記表示ステップは、前記表示部にファイル一覧画面を表示するとき、前記ファイル一覧画面に含まれるファイルであって前記画像処理で生成される処理後ファイルと同じファイル形式のファイルを、前記アイコン取得ステップにおいて取得される前記第２のアイコン画像を用いて表示させることを特徴とする請求項１３乃至２１のいずれかに記載のプログラム。
【請求項２３】
前記アイコン取得ステップは、前記リモート端末で起動されるアプリケーションと通信を行うことにより、前記アプリケーションにおいて管理されるアイコン画像を取得することを特徴とする請求項１３乃至２２のいずれかに記載のプログラム。
【請求項２４】
前記アイコン取得ステップは、前記リモート端末のオペレーティングシステムと通信を行うことにより、前記オペレーティングシステムにおいて管理されるアイコン画像を取得することを特徴とする請求項１３乃至２２のいずれかに記載のプログラム。
【発明の詳細な説明】
【技術分野】
【０００１】
本発明は、画像処理装置及びプログラムに関し、特にリモート端末と連携動作可能な画像処理装置に関する。
【背景技術】
【０００２】
従来、２つの携帯端末を並べて配置した状態で一方の携帯端末から他方の携帯端末にファイルを転送する際に、一方の携帯端末においてファイルのアイコン画像をドラッグして他方の携帯端末へ移動させ、他方の携帯端末でドロップすることによりファイルを転送できるようにした技術が知られている（例えば特許文献１）。この従来技術によれば、一方の携帯端末でドラッグしたアイコン画像を他方の携帯端末でも表示させることができる。
【０００３】
一方、ＭＦＰ（Multifunction Peripherals）などのような画像処理装置は、携帯端末などのリモート端末と通信を行い、リモート端末からファイルを取得し、そのファイルに対する画像処理を行うことが可能である。画像処理装置において行われる画像処理には様々な処理が存在し、例えばＰＤＦファイルをＤＯＣファイルに変換するなどのファイル形式の変換を伴う画像処理も存在する。
【０００４】
上記のような画像処理装置は、ユーザーによってファイル形式の変換を伴う画像処理が選択された場合、ユーザーが操作する操作パネルに、画像処理の対象となる処理前のファイルのファイル形式に対応するアイコン画像と、画像処理後に生成されるファイルのファイル形式に対応するアイコン画像とを表示し、画像処理によってファイル形式がどのように変換されるかをユーザーに示すようにしている。このとき、画像処理装置は、自機で保存している各種のファイル形式に対応した複数のアイコン画像の中から、処理前のファイルのファイル形式に対応するアイコン画像と、画像処理後に生成されるファイルのファイル形式に対応するアイコン画像と読み出して表示する。
【０００５】
しかし、画像処理装置に保存されているアイコン画像は、ユーザーが普段から使い慣れているリモート端末で表示されるアイコン画像とはルックアンドフィールが異なることがある。そのため、画像処理装置が、画像処理前後のファイルに対応するアイコン画像を自機で保存しているアイコン画像を用いて表示すると、ユーザーに違和感を抱かせてしまうことになる。
【０００６】
これを防止するためには、画像処理装置の操作パネルに表示するアイコン画像を、リモート端末で表示されるアイコン画像に統一させることが望まれる。例えば特許文献１の従来技術を適用すれば、画像処理装置は、ユーザーによってドラッグされたファイルのファイル形式に対応するアイコン画像をリモート端末から取得して表示することはできる。しかし、画像処理装置は、画像処理によって生成されるファイルがどのようなファイル形式であるのかを事前に把握することができないため、画像処理後に生成されるファイルのファイル形式に対応するアイコン画像をリモート端末から取得して表示することができない。そのため、従来の画像処理装置は、画像処理後に生成されるファイルのファイル形式に対応するアイコン画像のルックアンドフィールをリモート端末で表示されるアイコン画像に合致させることができないという問題がある。
【先行技術文献】
【特許文献】
【０００７】
【特許文献１】特表２０１２−５１９４４２号公報
【発明の概要】
【発明が解決しようとする課題】
【０００８】
本発明は、上述した従来の問題点を解決するためになされたものであり、ファイル形式の変換を伴う画像処理で生成されるファイルを示すアイコン画像のルックアンドフィールを、リモート端末で表示されるアイコン画像に合致させることができる画像処理装置及びプログラムを提供することを目的とする。
【課題を解決するための手段】
【０００９】
上記目的を達成するため、請求項１に係る発明は、リモート端末と通信を行って画像処理を行うことが可能な画像処理装置であって、前記リモート端末と通信を行う通信部と、表示部と、第１のアイコン画像に対応するファイル形式のファイルであって、画像処理の対象となるファイルを取得することが可能なファイル取得手段と、取得した前記ファイルのファイル形式の変換を伴う画像処理を行うことが可能な画像処理手段と、前記画像処理によって生成される処理後ファイルのファイル形式に対応する第２のアイコン画像を前記リモート端末から取得するアイコン取得手段と、前記処理後ファイルに対し、前記アイコン取得手段によって取得された前記第２のアイコン画像を前記表示部に表示させる表示制御手段と、を備えた構成である。
【００１０】
請求項２に係る発明は、請求項１に記載の画像処理装置において、複数の画像処理のうちから前記画像処理手段で行う画像処理を決定する画像処理決定手段を更に備え、前記アイコン取得手段は、前記画像処理決定手段によって画像処理が決定される前に、前記リモート端末から複数のアイコン画像を取得し、前記表示制御手段は、前記画像処理決定手段によって画像処理が決定された後に、当該画像処理によって生成される処理後ファイルのファイル形式に対応する前記第２のアイコン画像を、前記複数のアイコン画像の中から選択して表示させることを特徴とする構成である。
【００１１】
請求項３に係る発明は、請求項２に記載の画像処理装置において、前記アイコン取得手段は、前記複数の画像処理のそれぞれによって生成され得るファイルのファイル形式に対応するアイコン画像を取得することを特徴とする構成である。
【００１２】
請求項４に係る発明は、請求項１又は２に記載の画像処理装置において、前記アイコン取得手段は、前記画像処理手段において前記画像処理の対象となる処理前ファイルが選択されたとき、当該処理前ファイルのファイル形式に応じて前記画像処理で生成され得るファイルのファイル形式を特定し、当該ファイル形式に対応するアイコン画像を取得することを特徴とする構成である。
【００１３】
請求項５に係る発明は、請求項１に記載の画像処理装置において、複数の画像処理のうちから前記画像処理手段で行う画像処理を決定する画像処理決定手段を更に備え、前記アイコン取得手段は、前記画像処理決定手段によって画像処理が決定された後に、当該画像処理によって生成される処理後ファイルのファイル形式に対応する前記第２のアイコン画像を取得することを特徴とする構成である。
【００１４】
請求項６に係る発明は、請求項１乃至５のいずれかに記載の画像処理装置において、前記画像処理で生成されるファイルのファイル形式に対応するアイコン画像を記憶する記憶部を更に備え、前記表示制御手段は、前記アイコン取得手段が前記画像処理で生成される処理後ファイルのファイル形式に対応する前記第２のアイコン画像を取得することができなかった場合、前記画像処理で生成されるファイルを、前記記憶部に記憶されているアイコン画像を用いて表示させることを特徴とする構成である。
【００１５】
請求項７に係る発明は、請求項１乃至６のいずれかに記載の画像処理装置において、前記アイコン取得手段は、前記画像処理の対象となる処理前ファイルのファイル形式に対応する前記第１のアイコン画像を前記リモート端末から更に取得し、前記表示制御手段は、前記画像処理の対象となるファイルを、前記アイコン取得手段によって取得される前記第１のアイコン画像を用いて表示させることを特徴とする構成である。
【００１６】
請求項８に係る発明は、請求項１乃至７のいずれかに記載の画像処理装置において、前記通信部は、第１のリモート端末と第２のリモート端末のそれぞれと通信を行うことが可能であり、前記画像処理手段は、前記第１のリモート端末から前記画像処理の対象となる処理前ファイルを取得し、当該処理前ファイルに対する前記画像処理を行うことによって生成するファイルを前記第２のリモート端末へ出力し、前記アイコン取得手段は、前記画像処理の対象となる処理前ファイルのファイル形式に対応する前記第１のアイコン画像と、前記画像処理で生成される処理後ファイルのファイル形式に対応する前記第２のアイコン画像とを前記第１のリモート端末から取得し、前記第２のアイコン画像を前記第２のリモート端末へ送信することを特徴とする構成である。
【００１７】
請求項９に係る発明は、請求項１乃至７のいずれかに記載の画像処理装置において、前記通信部は、第１のリモート端末と第２のリモート端末のそれぞれと通信を行うことが可能であり、前記画像処理手段は、前記第１のリモート端末から前記画像処理の対象となる処理前ファイルを取得し、当該処理前ファイルに対する前記画像処理を行うことによって生成するファイルを前記第２のリモート端末へ出力し、前記アイコン取得手段は、前記画像処理の対象となる処理前ファイルのファイル形式に対応する前記第１のアイコン画像を前記第１のリモート端末から取得し、前記画像処理で生成される処理後ファイルのファイル形式に対応する前記第２のアイコン画像を前記第２のリモート端末から取得することを特徴とする構成である。
【００１８】
請求項１０に係る発明は、請求項１乃至９のいずれかに記載の画像処理装置において、前記表示制御手段は、前記表示部にファイル一覧画面を表示するとき、前記ファイル一覧画面に含まれるファイルであって前記画像処理で生成される処理後ファイルと同じファイル形式のファイルを、前記アイコン取得手段によって取得される前記第２のアイコン画像を用いて表示させることを特徴とする構成である。
【００１９】
請求項１１に係る発明は、請求項１乃至１０のいずれかに記載の画像処理装置において、前記アイコン取得手段は、前記通信部を介して、前記リモート端末で起動されるアプリケーションと通信を行うことにより、前記アプリケーションにおいて管理されるアイコン画像を取得することを特徴とする構成である。
【００２０】
請求項１２に係る発明は、請求項１乃至１０のいずれかに記載の画像処理装置において、前記アイコン取得手段は、前記通信部を介して、前記リモート端末のオペレーティングシステムと通信を行うことにより、前記オペレーティングシステムにおいて管理されるアイコン画像を取得することを特徴とする構成である。
【００２１】
請求項１３に係る発明は、表示部を備え、ファイル形式の変換を伴う画像処理を行うことが可能な画像処理装置において実行されるプログラムであって、前記画像処理装置の制御部に、第１のアイコン画像に対応するファイル形式のファイルであって、画像処理の対象となるファイルを取得するファイル取得ステップと、取得した前記ファイルのファイル形式の変換を伴う画像処理ステップと、前記画像処理で生成される処理後ファイルのファイル形式に対応する第２のアイコン画像をリモート端末から取得するアイコン取得ステップと、前記処理後ファイルに対し、前記リモート端末から取得した前記第２のアイコン画像を前記表示部に表示させる表示ステップと、を実行させることを特徴とする構成である。
【００２２】
請求項１４に係る発明は、請求項１３に記載のプログラムにおいて、前記制御部に、複数の画像処理のうちから、行うべき画像処理を決定する画像処理決定ステップ、を更に実行させ、前記アイコン取得ステップは、前記画像処理決定ステップにおいて画像処理が決定される前に、前記リモート端末から複数のアイコン画像を取得し、前記表示ステップは、前記画像処理決定ステップにおいて画像処理が決定された後に、当該画像処理によって生成される処理後ファイルのファイル形式に対応する前記第２のアイコン画像を、前記複数のアイコン画像の中から選択して表示させることを特徴とする構成である。
【００２３】
請求項１５に係る発明は、請求項１４に記載のプログラムにおいて、前記アイコン取得ステップは、前記複数の画像処理のそれぞれによって生成され得るファイルのファイル形式に対応するアイコン画像を取得することを特徴とする構成である。
【００２４】
請求項１６に係る発明は、請求項１３又は１４に記載のプログラムにおいて、前記アイコン取得ステップは、前記画像処理の対象となる処理前ファイルが選択されたとき、当該処理前ファイルのファイル形式に応じて前記画像処理で生成され得るファイルのファイル形式を特定し、当該ファイル形式に対応するアイコン画像を取得することを特徴とする構成である。
【００２５】
請求項１７に係る発明は、請求項１３に記載のプログラムにおいて、前記制御部に、複数の画像処理のうちから、行うべき画像処理を決定する画像処理決定ステップ、を更に実行させ、前記アイコン取得ステップは、前記画像処理決定ステップにおいて画像処理が決定された後に、当該画像処理によって生成される処理後ファイルのファイル形式に対応する前記第２のアイコン画像を取得することを特徴とする構成である。
【００２６】
請求項１８に係る発明は、請求項１３乃至１７のいずれかに記載のプログラムにおいて、前記画像処理装置は、前記画像処理で生成されるファイルのファイル形式に対応するアイコン画像を記憶する記憶部を備えており、前記表示ステップは、前記アイコン取得ステップによって前記画像処理で生成される処理後ファイルのファイル形式に対応する前記第２のアイコン画像を取得することができなかった場合、前記画像処理で生成されるファイルを、前記記憶部に記憶されているアイコン画像を用いて表示させることを特徴とする構成である。
【００２７】
請求項１９に係る発明は、請求項１３乃至１８のいずれかに記載のプログラムにおいて、前記アイコン取得ステップは、前記画像処理の対象となる処理前ファイルのファイル形式に対応する前記第１のアイコン画像を前記リモート端末から更に取得し、前記表示ステップは、前記画像処理の対象となるファイルを、前記アイコン取得ステップにおいて取得される前記第１のアイコン画像を用いて表示させることを特徴とする構成である。
【００２８】
請求項２０に係る発明は、請求項１３乃至１９のいずれかに記載のプログラムにおいて、前記ファイル取得ステップは、第１のリモート端末と第２のリモート端末のそれぞれと通信を行い、前記第１のリモート端末から前記画像処理の対象となる処理前ファイルを取得し、当該処理前ファイルに対する前記画像処理が行われることによって生成されるファイルを前記第２のリモート端末へ出力し、前記アイコン取得ステップは、前記画像処理の対象となる処理前ファイルのファイル形式に対応する前記第１のアイコン画像と、前記画像処理で生成される処理後ファイルのファイル形式に対応する前記第２のアイコン画像とを前記第１のリモート端末から取得し、前記第２のアイコン画像を前記第２のリモート端末へ送信することを特徴とする構成である。
【００２９】
請求項２１に係る発明は、請求項１３乃至１９のいずれかに記載のプログラムにおいて、前記ファイル取得ステップは、第１のリモート端末と第２のリモート端末のそれぞれと通信を行い、前記第１のリモート端末から前記画像処理の対象となる処理前ファイルを取得し、当該処理前ファイルに対する前記画像処理が行われることによって生成されるファイルを前記第２のリモート端末へ出力し、前記アイコン取得ステップは、前記画像処理の対象となる処理前ファイルのファイル形式に対応する前記第１のアイコン画像を前記第１のリモート端末から取得し、前記画像処理で生成される処理後ファイルのファイル形式に対応する前記第２のアイコン画像を前記第２のリモート端末から取得することを特徴とする構成である。
【００３０】
請求項２２に係る発明は、請求項１３乃至２１のいずれかに記載のプログラムにおいて、前記表示ステップは、前記表示部にファイル一覧画面を表示するとき、前記ファイル一覧画面に含まれるファイルであって前記画像処理で生成される処理後ファイルと同じファイル形式のファイルを、前記アイコン取得ステップにおいて取得される前記第２のアイコン画像を用いて表示させることを特徴とする構成である。
【００３１】
請求項２３に係る発明は、請求項１３乃至２２のいずれかに記載のプログラムにおいて、前記アイコン取得ステップは、前記リモート端末で起動されるアプリケーションと通信を行うことにより、前記アプリケーションにおいて管理されるアイコン画像を取得することを特徴とする構成である。
【００３２】
請求項２４に係る発明は、請求項１３乃至２２のいずれかに記載のプログラムにおいて、前記アイコン取得ステップは、前記リモート端末のオペレーティングシステムと通信を行うことにより、前記オペレーティングシステムにおいて管理されるアイコン画像を取得することを特徴とする構成である。
【発明の効果】
【００３３】
本発明によれば、画像処理装置においてファイル形式の変換を伴う画像処理が実行される場合に、画像処理で生成されるファイルを示すアイコン画像のルックアンドフィールを、リモート端末で表示されるアイコン画像に合致させることができるようになる。
【図面の簡単な説明】
【００３４】
【図１】画像処理システムの一構成例を示す図である。
【図２】画像処理装置のハードウェア構成の一例を示すブロック図である。
【図３】制御部の機能構成を示すブロック図である。
【図４】第１実施形態において画像処理装置とリモート端末とが互いに連携する動作の一例を示す図である。
【図５】画像処理装置において表示される設定画面の一例を示す図である。
【図６】第１実施形態において画像処理装置で行われる処理手順の一例を示すフローチャートである。
【図７】アイコン画像表示処理の詳細な処理手順の一例を示すフローチャートである。
【図８】ファイル形式判別情報の一例を示す図である。
【図９】第２実施形態において画像処理装置とリモート端末とが互いに連携する動作の一例を示す図である。
【図１０】第２実施形態において画像処理装置で行われる処理手順の一例を示すフローチャートである。
【図１１】第３実施形態において画像処理装置とリモート端末とが互いに連携する動作の一例を示す図である。
【図１２】第３実施形態において画像処理装置で行われる処理手順の一例を示すフローチャートである。
【図１３】第４実施形態の画像処理装置によるファイルの入出力の一例を示す図である。
【図１４】第４実施形態において画像処理装置とリモート端末とが互いに連携する動作の一例を示す図である。
【図１５】第５実施形態の画像処理装置によるファイルの入出力の一例を示す図である。
【図１６】第５実施形態において画像処理装置とリモート端末とが互いに連携する動作の一例を示す図である。
【図１７】アイコン取得部がリモート端末と行う通信の例を示す図である。
【発明を実施するための形態】
【００３５】
以下、本発明に関する好ましい実施形態について図面を参照しつつ詳細に説明する。尚、以下に説明する実施形態において互いに共通する部材には同一符号を付しており、それらについての重複する説明は省略する。
【００３６】
（第１実施形態）
図１は、本発明の第１実施形態における画像処理システムの一構成例を示す図である。この画像処理システムは、ＭＦＰなどで構成される画像処理装置１と、リモート端末２，３，４とが互いに通信を行うことができる構成である。リモート端末２は、例えばユーザーが所持するスマートフォン又はタブレット端末であり、画像処理装置１と近距離無線通信などによる無線通信が可能である。またリモート端末３は、例えばユーザーが所持するタブレット端末又はスマートフォンであり、リモート端末２と同様に、画像処理装置１と近距離無線通信などによる無線通信が可能である。リモート端末４は、例えばパーソナルコンピュータ（ＰＣ）で構成され、画像処理装置１とＬＡＮ（Local Area Network）などのネットワーク５を介して通信を行うことが可能である。尚、リモート端末２，３，４は単なる例示であり、いずれもスマートフォンやタブレット端末、ＰＣに限られるものではない。
【００３７】
画像処理装置１は、コピー機能やスキャン機能、プリント機能の他、様々な画像処理を行う機能を有している。すなわち、画像処理装置１は、複数の画像処理を実行することが可能であり、それら複数の画像処理のうちからユーザーによって指定された画像処理を実行する。これら複数の画像処理の中には、ファイル形式の変換を伴う画像処理が含まれている。そのため、ユーザーによってファイル形式の変換を伴う画像処理が選択されると、画像処理装置１は、画像処理の対象となる処理前のファイルのファイル形式を変換し、処理前とは異なるファイル形式のファイルを生成する。例えば画像処理装置１で行われる画像処理では、ＰＤＦファイルからＤＯＣファイルが生成されることがある。
【００３８】
例えば、画像処理装置１は、リモート端末２，３，４から画像処理の対象となるファイルを取得し、そのファイルに対して画像処理を行ってファイル形式の異なるファイルを生成することが可能である。画像処理装置１は、ユーザーインタフェースとなる操作パネル１２を備えており、リモート端末２，３，４と連携した動作を行う際にユーザーによる設定操作を受け付けるための画面を操作パネル１２に表示する。すなわち、画像処理装置１は、リモート端末２，３，４と通信を行い、リモート端末２，３，４に格納されているファイルの一覧を操作パネル１２に表示し、ユーザーによるファイルの選択操作を受け付ける。また画像処理装置１は、操作パネル１２に対して行われる画像処理の選択操作を受け付け、画像処理によって生成されるファイルのファイル形式をユーザーに把握させるためにファイル形式に対応するアイコン画像（第２のアイコン画像）を操作パネル１２に表示する。このとき、画像処理装置１は、リモート端末２，３，４から取得したアイコン画像に対応するアイコン画像データを用いて、画像処理後に生成されるファイルに対応するアイコン画像を表示する。これにより、ユーザーは、普段から使用しているリモート端末２，３，４と同じアイコン画像でファイル形式を確認することができるようになる。
【００３９】
以下、このような画像処理装置１について更に詳しく説明する。尚、以下の本実施形態では、主として、画像処理装置１がリモート端末２と連携する場合を例示する。
【００４０】
図２は、画像処理装置１のハードウェア構成の一例を示すブロック図である。図２に示すように、画像処理装置１は、制御部１０と、記憶部１１と、操作パネル１２と、無線通信インタフェース１３と、ネットワークインタフェース１４と、プリンタ部１５と、スキャナ部１６と、ＦＡＸ部１７とを備えている。
【００４１】
制御部１０は、ＣＰＵ１０ａとメモリ１０ｂとを備えている。ＣＰＵ１０ａは、記憶部１１に記憶されているプログラム６を読み出して実行する演算処理ユニットである。メモリ１０ｂは、ＣＰＵ１０ａがプログラム６に基づく処理を行っているときに発生する一時的なデータなどを記憶するためのものである。ＣＰＵ１０ａがプログラム６を実行することにより、制御部１０は、後述する各種処理部として機能し、各部の動作を制御する。
【００４２】
記憶部１１は、例えばハードディスクドライブ（ＨＤＤ）などで構成される不揮発性の記憶デバイスである。記憶部１１には、制御部１０のＣＰＵ１０ａで実行されるプログラム６が予め記憶される。また記憶部１１には、画像処理装置１で実行可能な画像処理と、ファイル形式とが対応付けられたファイル形式判別情報７が予め記憶される。このファイル形式判別情報７の詳細については後述する。また記憶部１１には、画像処理装置１で取り扱う可能性があるファイルのファイル形式に対応した複数種類のアイコン画像８が予め記憶される。これらのアイコン画像８は、リモート端末２，３，４において保持されているアイコン画像とは異なる画像である。さらに記憶部１１には、ファイル記憶部９が設けられている。ファイル記憶部９は、ユーザーによって指定されたファイルを記憶しておくための記憶領域であり、画像処理の対象となる処理前のファイルや、画像処理によって生成されたファイルなどを記憶することができる。
【００４３】
操作パネル１２は、表示部１２ａと操作部１２ｂとを備えている。表示部１２ａは、例えばカラー液晶ディスプレイなどで構成され、ユーザーが操作可能な各種画面を表示する。操作部１２ｂは、例えば表示部１２ａの表示画面上に配置されるタッチパネルセンサーなどで構成され、ユーザーによる操作を受け付ける。
【００４４】
無線通信インタフェース１３は、リモート端末２，３との無線による通信状態を確立し、それらのリモート端末２，３と無線通信を行うためのものである。この無線通信インタフェース１３は、例えば複数のリモート端末２，３と同時に通信状態を確立させることも可能である。
【００４５】
ネットワークインタフェース１４は、画像処理装置１をＬＡＮなどのネットワークに接続するためのものである。例えば制御部１０は、ネットワークインタフェース１４を介してリモート端末４と通信を行うことができる。
【００４６】
プリンタ部１５は、入力する画像データに基づいてプリント出力を行うものである。スキャナ部１６は、ユーザーによってセットされた原稿を光学的に読み取って画像データを生成するものである。ＦＡＸ部１７は、図示を省略する公衆電話回線を介してＦＡＸデータの送受信を行うものである。
【００４７】
次に制御部１０の機能構成について説明する。図３は、制御部１０の機能構成を示すブロック図である。ＣＰＵ１０ａがプログラム６を実行することにより、制御部１０は、リモート端末２と連携するアプリケーション２０を機能させる。このアプリケーション２０は、例えば無線通信インタフェース１３を監視しており、リモート端末２からの通信要求を受信すると、リモート端末２との通信状態を確立させる。リモート端末２との通信状態を確立させると、制御部１０は、表示情報取得部２１、表示制御部２３、ファイル選択部２４、ファイル取得部２５、画像処理決定部２６、画像処理部２７、及び、ファイル出力部２８のそれぞれを機能させ、リモート端末２との連携動作を開始する。尚、リモート端末２との通信は、必ずしも無線によるものに限られず、ＬＡＮなどのネットワーク５を介したものであっても構わない。
【００４８】
表示情報取得部２１は、通信相手のリモート端末２から操作パネル１２の表示部１２ａに表示するための情報を取得するものである。例えば表示情報取得部２１は、リモート端末２で表示されている画面の画面情報を取得する。表示情報取得部２１は、リモート端末２から画面情報を取得すると、その画面情報を表示制御部２３へ出力する。
【００４９】
アイコン取得部２２は、通信相手のリモート端末２が保持している、ファイルを表示するためのアイコン画像を取得するものである。例えば、アイコン取得部２２は、リモート端末２が保持している全てのアイコン画像を取得する。ただし、これに限られるものではなく、アイコン取得部２２は、画像処理前後のファイル形式に対応するアイコン画像を取得するようにしても良い。アイコン取得部２２は、リモート端末２からアイコン画像を取得すると、そのアイコン画像を表示制御部２３へ出力する。
【００５０】
表示制御部２３は、操作パネル１２の表示部１２ａにおいて表示する画像を制御するものである。例えば画像処理装置１とリモート端末２との連携動作が開始されると、表示制御部２３は、ユーザーによる設定操作を受け付けるための設定画面を表示部１２ａに表示させる。この設定画面は、例えば３つの表示領域に分割された画面である。そして表示制御部２３は、設定画面の１つの表示領域に、表示情報取得部２１によって取得された画面情報に基づくリモート端末２の表示画面を表示させる。また表示制御部２３は、設定画面の別の１つの表示領域に、複数の画像処理のうちからユーザーが所望する画像処理を選択する画面を表示させる。さらに表示制御部２３は、ユーザーによって選択される画像処理がファイル形式の変換を行う処理である場合、残りの１つの表示領域に、画像処理前のファイルのファイル形式に対応するアイコン画像（第１のアイコン画像）と、画像処理後のファイルのファイル形式に対応するアイコン画像（第２のアイコン画像）とを表示させる。表示制御部２３は、画像処理前後のファイル形式に対応するアイコン画像を表示させるとき、原則として、アイコン取得部２２によってリモート端末２から取得されたアイコン画像を用いて表示させる。
【００５１】
ファイル選択部２４は、操作部１２ｂに対して行われるユーザーの操作に基づき、画像処理の対象となるファイルを選択する処理部である。例えば、設定画面の１つの表示領域に表示されているリモート端末２の表示画面がファイル一覧画面であった場合、ファイル選択部２４は、その領域に対するユーザーの操作に基づきファイル一覧において表示されている複数のファイルのうちから一のファイルを画像処理の対象となるファイルとして選択する。そしてファイル選択部２４は、ユーザーによって選択されたファイルをファイル取得部２５に通知する。
【００５２】
ファイル取得部２５は、ファイル選択部２４によって選択されたファイルを取得する処理部である。例えば、ユーザーによってリモート端末２に保存されているファイルが処理対象として選択された場合、ファイル取得部２５は、無線通信インタフェース１３を介してリモート端末２にファイルリクエストを送信し、ユーザーによって指定されたファイルをリモート端末２から取得する。ファイル取得部２５は、ユーザーによって指定されたファイルを取得すると、そのファイルを画像処理部２７へ出力する。
【００５３】
画像処理決定部２６は、操作部１２ｂに対して行われるユーザーの操作に基づき、画像処理装置１で行うべき画像処理を決定する処理部である。例えば、設定画面に含まれる画像処理を選択する画面に対し、ユーザーが一の画像処理を選択する操作を行った場合、画像処理決定部２６は、そのユーザーの操作に基づき画像処理装置１で行うべき画像処理を決定する。そして画像処理決定部２６は、決定した画像処理を画像処理部２７へ通知する。
【００５４】
またユーザーは、リモート端末２のファイル一覧画面として表示されているファイルのアイコン画像を、画像処理を選択する画面内にドラッグして所望の画像処理に対応するボタン画像（アイコン画像）の上でドロップすることにより、ファイルの選択と画像処理の選択とを一連の操作として行うことができる。この場合、ファイル選択部２４及び画像処理決定部２６のそれぞれがほぼ同時に機能し、処理対象となるファイルの選択処理と、画像処理の決定処理とがほぼ同時に行われる。
【００５５】
画像処理部２７は、ファイル取得部２５によって取得されたファイルに対し、画像処理決定部２６で決定された画像処理を実行することにより、画像処理を反映させた新たなファイルを生成する。例えばユーザーによって指定された画像処理がファイル形式を変換させる画像処理である場合、画像処理部２７は、ユーザーによって指定された画像処理を実行することにより、処理対象となるファイルからファイル形式の異なる新たなファイルを生成する。そして画像処理部２７は、画像処理を実行することによって生成したファイルをファイル出力部２８へ出力する。
【００５６】
ファイル出力部２８は、画像処理部２７において生成されたファイルを、ユーザーによって指定された出力先に出力する処理部である。例えば画像処理後のファイルの出力先としてリモート端末２が指定された場合、ファイル出力部２８は、無線通信インタフェース１３を介して画像処理後のファイルをリモート端末２へ送信する。また画像処理後のファイルの出力先として別のリモート端末３，４が指定された場合、ファイル出力部２８は、無線通信インタフェース１３又はネットワークインタフェース１４を介して画像処理後のファイルを別のリモート端末３，４へ送信する。さらに画像処理後のファイルの出力先として記憶部１１のファイル記憶部９が指定された場合、ファイル出力部２８は、画像処理後のファイルを記憶部１１のファイル記憶部９に保存する。
【００５７】
図４は、画像処理装置１とリモート端末２とが互いに連携する動作の一例を示す図である。まずリモート端末２において画像処理装置１と連携するアプリケーションが起動されると、リモート端末２が画像処理装置１に対して通信要求を送信し、画像処理装置１との通信状態を確立させる（プロセスＰ１）。これに伴い、画像処理装置１もリモート端末２との通信状態を確立させる（プロセスＰ２）。
【００５８】
画像処理装置１は、リモート端末２との通信状態を確立させると、表示情報取得部２１を機能させ、リモート端末２に画面リクエストを送信し（プロセスＰ３）、リモート端末２において表示されている表示画面の画面情報を取得する（プロセスＰ４）。
【００５９】
続いて画像処理装置１は、アイコン取得部２２を機能させ、リモート端末２に対して全てのアイコン画像を送信することを要求するアイコンリクエストを送信し（プロセスＰ５）、リモート端末２において保持されている、ファイルを表示するための全てのアイコン画像を取得する（プロセスＰ６）。ただし、画像処理装置１は、リモート端末２から複数のアイコン画像を同時に取得したとしても、それら複数のアイコン画像のそれぞれがどのファイル形式に対応する画像であるかを把握することができない。そのため、アイコン取得部２２は、リモート端末２に対しアイコンリクエストを送信するとき、各アイコン画像の属性情報を付加することを要求する。これにより、アイコン取得部２２は、リモート端末２で保持されている複数のアイコン画像の全てを取得することができると共に、各アイコン画像がどのファイル形式を表示するものであるかを示す属性情報を同時に取得することができる。アイコン取得部２２は、リモート端末２からアイコン画像と属性情報を取得すると、それらをメモリ１０ｂに一時的に保存しておく。
【００６０】
次に画像処理装置１は、表示制御部２３を機能させ、操作パネル１２の表示部１２ａに、リモート端末２と連携して行う画像処理を設定するための設定画面を表示する（プロセスＰ７）。図５は、画像処理装置１において表示される設定画面の一例を示す図である。図５に示すように設定画面は、３つの表示領域Ｒ１，Ｒ２，Ｒ３を有している。表示領域Ｒ１は、リモート端末２から取得した画面情報に基づく画面を表示する領域であり、図５の例ではリモート端末２において保持されているファイルのファイル一覧が表示されている。表示領域Ｒ２は、画像処理装置１において実行可能な複数の画像処理のうちからユーザーが所望の画像処理を選択することが可能な画面が表示されている。表示領域Ｒ３は、画像処理前のファイルのファイル形式に対応したアイコン画像３２と、画像処理で生成されるファイルのファイル形式に対応したアイコン画像３３とを表示し、画像処理によってファイル形式がどのように変換されるかをユーザーに示す表示領域である。ただし、ユーザーによって画像処理の対象となるファイルが選択されていないときにはアイコン画像３２は表示されず、またユーザーによって画像処理が選択されていないときにはアイコン画像３３は表示されない。
【００６１】
画像処理装置１は、図５に示すような設定画面を操作パネル１２に表示した後、ユーザーによるファイルの選択操作を受け付ける（プロセスＰ８）。ユーザーによるファイルの選択操作が行われると、制御部１０においてファイル選択部２４が機能する。そしてファイル選択部２４からファイル取得部２５に対し、ユーザーによって選択されたファイルであって、取得対象となるファイルが指示される。そしてファイル取得部２５は、リモート端末２に対して、一のファイルを指定したファイルリクエストを送信し（プロセスＰ９）、リモート端末２から画像処理の対象となるファイルを取得する（プロセスＰ１０）。ファイル取得部２５は、リモート端末２からファイルを取得すると、そのファイルのファイル形式を特定し、表示制御部２３にファイル形式を通知する。これにより、表示制御部２３は、画像処理の対象となるファイルのファイル形式を把握することができる。そのため、表示制御部２３は、画像処理の対象となるファイルのファイル形式が確定することに伴い、リモート端末２から取得しておいた属性情報に基づいて、リモート端末２から取得した複数のアイコン画像のうちから、そのファイル形式に対応するアイコン画像を特定する。そして表示制御部２３は、その特定したアイコン画像を、表示領域Ｒ３において画像処理前のファイルのファイル形式に対応したアイコン画像３２として表示する（プロセスＰ１１）。したがって、ユーザーによって画像処理の対象となるファイルが指定されると、表示領域Ｒ３において、画像処理の対象となる処理前のファイルのファイル形式を示すアイコン画像３２が、リモート端末２で表示されるアイコン画像と同じ画像で表示されることになる。
【００６２】
次に画像処理装置１は、ユーザーによる画像処理の選択操作を受け付ける。例えば、図５に示す設定画面の表示領域Ｒ２には、複数の画像処理のそれぞれに対応する複数のボタン画像が表示されている。ユーザーは、これら複数のボタン画像のうちから一のボタン画像に対してタッチ操作や、ドラッグアンドドロップのドロップ操作を行うことにより、一の画像処理を選択することができる。画像処理装置１は、ユーザーによる画像処理の選択操作を受け付けると、画像処理決定部２６を機能させ、ユーザーの選択操作に基づいて画像処理を決定する（プロセスＰ１２）。そして画像処理決定部２６から画像処理部２７に対して画像処理が指示される。また画像処理決定部２６は、画像処理を決定すると、その画像処理で生成されるファイルのファイル形式を特定し、表示制御部２３にそのファイル形式を通知する。これにより、表示制御部２３は、画像処理によって生成されるファイルのファイル形式を把握することができる。そのため、表示制御部２３は、画像処理で生成されるファイルのファイル形式が確定することに伴い、リモート端末２から取得しておいた属性情報に基づいて、リモート端末２から取得した複数のアイコン画像のうちから、そのファイル形式に対応するアイコン画像を特定する。そして表示制御部２３は、その特定したアイコン画像を、表示領域Ｒ３において画像処理後のファイルのファイル形式に対応したアイコン画像３３として表示する（プロセスＰ１３）。したがって、ユーザーによって画像処理が選択されると、表示領域Ｒ３において、画像処理後のファイルのファイル形式を示すアイコン画像３３が、リモート端末２で表示されるアイコン画像と同じ画像で表示されることになる。
【００６３】
続いて画像処理装置１は、画像処理部２７を機能させて、画像処理の対象となるファイルに対する画像処理を実行して新たなファイルを生成する（プロセスＰ１４）。その後、画像処理装置１においてファイル出力部２８が機能し、画像処理で生成されたファイルが、ユーザーによって指定された出力先に出力される（プロセスＰ１５）。
【００６４】
上記のように画像処理装置１は、リモート端末２と連携動作を行うことにより、画像処理の前後のファイル形式に対応するアイコン画像３２，３３を表示するときに、リモート端末２で表示されるアイコン画像と同じアイコン画像を表示させることができるため、ユーザーに違和感を抱かせることない。特に画像処理後のファイル形式に対応するアイコン画像３３のルックアンドフィールを、リモート端末２で表示されるアイコン画像と同じにして表示することができるため、ユーザーは普段から見慣れたアイコン画像のルックアンドフィールでファイル形式を確認することが可能であり、画像処理によって生成されるファイルが所望のファイル形式であることを容易に把握することができるという利点がある。
【００６５】
次に図４に示した連携動作を行うために、画像処理装置１で行われる処理手順について説明する。図６は、画像処理装置１で行われる処理手順の一例を示すフローチャートである。この処理は、制御部１０のＣＰＵ１０ａがプログラム６を実行することによって行われる。画像処理装置１は、この処理を開始すると、まずリモート端末２との通信状態を確立する（ステップＳ１）。リモート端末２との通信状態を確立させると、画像処理装置１は、リモート端末２に対して画面リクエストを送信し（ステップＳ２）、リモート端末２から画面情報を受信する（ステップＳ３）。続いて画像処理装置１は、リモート端末２に対し、リモート端末２が保持している全てのアイコン画像を要求するアイコンリクエストを送信する（ステップＳ４）。このとき、画像処理装置１は、各アイコン画像とファイル形式とを対応付ける属性情報の送信も要求する。そして画像処理装置１は、リモート端末２からアイコン画像を受信すると（ステップＳ５）、アイコン画像をメモリ１０ｂへ保存する。また画像処理装置１は、リモート端末２から受信する属性情報もメモリ１０ｂへ保存する。尚、アイコン画像と属性情報の保存先は、必ずしもメモリ１０ｂに限られず、例えば記憶部１１であっても構わない。
【００６６】
次に画像処理装置１は、操作パネル１２に対してユーザーによる設定操作を受け付けるための設定画面を表示する（ステップＳ６）。すなわち、図５に示したような設定画面を操作パネル１２に表示する。ただし、この時点では、表示領域Ｒ３におけるアイコン画像３２，３３は表示されない状態である。
【００６７】
画像処理装置１は、設定画面を表示すると、ユーザーによるファイル選択操作を受け付ける（ステップＳ７）。ユーザーによってリモート端末２に保存されているファイルが指定されると、画像処理装置１は、リモート端末２にファイルリクエストを送信し（ステップＳ８）、リモート端末２から画像処理の対象となるファイルを受信する（ステップＳ９）。これに伴い、画像処理装置１は、画像処理の対象となるファイルのファイル形式を特定し（ステップＳ１０）、予めリモート端末２から取得しておいた複数のアイコン画像の中から、そのファイル形式に対応したアイコン画像を抽出する。そして画像処理装置１は、その抽出したアイコン画像を用いて、設定画面の表示領域Ｒ３における画像処理前のファイルを示すアイコン画像３２を表示する（ステップＳ１１）。
【００６８】
続いて画像処理装置１は、ユーザーによる画像処理の選択操作を受け付ける（ステップＳ１２）。ユーザーによって画像処理が選択されると、画像処理装置１は、ユーザーの操作に基づいて画像処理を決定し（ステップＳ１３）、その決定した画像処理で生成されるファイルのファイル形式を特定する（ステップＳ１４）。そして画像処理装置１は、画像処理後のファイル形式に対応したアイコン画像を表示するためのアイコン画像表示処理を実行する（ステップＳ１５）。
【００６９】
画像処理装置１がリモート端末２から取得した複数のアイコン画像の中には、画像処理で生成されるファイルのファイル形式に対応したアイコン画像が含まれていないことがある。例えば画像処理で生成されるファイルと同じファイル形式のファイルがリモート端末２に保存されていない場合、リモート端末２にはそのファイル形式に対応するアイコン画像が保持されていないことがある。その場合、画像処理装置１は、リモート端末２が保持する全てのアイコン画像を取得したとしても、その中には画像処理後のファイル形式に対応するアイコン画像が含まれない。したがって、画像処理装置１は、ステップＳ１５において画像処理後のファイル形式に対応するアイコン画像をリモート端末２から取得しているか否かを判断し、その判断結果に応じて操作パネル１２に表示するアイコン画像３３を切り替える。
【００７０】
図７は、アイコン画像表示処理（ステップＳ１５）の詳細な処理手順の一例を示すフローチャートである。画像処理装置１は、この処理を開始すると、画像処理後のファイル形式に対応するアイコン画像をリモート端末２から取得しているか否かを判断する（ステップＳ１５１）。その結果、画像処理後のファイル形式に対応するアイコン画像をリモート端末２から取得している場合（ステップＳ１５１でＹＥＳ）、画像処理装置１は、リモート端末２から取得した複数のアイコン画像の中から画像処理後のファイル形式に対応するアイコン画像を表示すべきアイコン画像として選択する（ステップＳ１５２）。これに対し、画像処理後のファイル形式に対応するアイコン画像をリモート端末２から取得していない場合（ステップＳ１５１でＮＯ）、画像処理装置１は、記憶部１１に記憶されている複数のアイコン画像８の中から画像処理後のファイル形式に対応するアイコン画像を表示すべきアイコン画像として選択する（ステップＳ１５３）。そして画像処理装置１は、ステップＳ１５２又はＳ１５３で選択したアイコン画像を用いて、設定画面の表示領域Ｒ３における画像処理後のファイルを示すアイコン画像３３を表示する（ステップＳ１５４）。このように画像処理装置１は、画像処理後のファイル形式に対応するアイコン画像をリモート端末２から取得できていないときには、自身が保持しているアイコン画像を用いて画像処理後のファイルを示すアイコン画像３２を表示する。そのため、ユーザーによって画像処理が指定された後に、表示領域Ｒ３において画像処理後のファイルを示すアイコン画像３２が表示されないといった不具合が生じることを未然に防ぐことができる。
【００７１】
図６のフローチャートに戻り、画像処理装置１は、ユーザーによる画像処理の実行指示を受け付ける（ステップＳ１６）。ユーザーによって画像処理の実行が指示されると、画像処理装置１は、ユーザーによって指定された画像処理の実行を開始し、画像処理前のファイルから画像処理後のファイルを生成する（ステップＳ１７）。画像処理が終了すると、画像処理装置１は、画像処理によって生成されたファイルをユーザーによって指定された出力先に出力し、全ての処理を終了する（ステップＳ１８）。
【００７２】
以上のように本実施形態の画像処理装置１は、ファイル形式の変換を伴う画像処理を行うことが可能であり、そのような画像処理で生成されるファイルをアイコン画像で操作パネル１２に表示させるようにしている。そしてアイコン取得部２２が、少なくとも画像処理で生成されるファイルのファイル形式に対応するアイコン画像をリモート端末２から取得し、表示制御部２３が、画像処理で生成されるファイルを、アイコン取得部２２によって取得されたアイコン画像を用いて表示させるようにしている。このような画像処理装置１によれば、少なくともファイルの変換を伴う画像処理後のファイルを示すアイコン画像のルックアンドフィールを、リモート端末２で表示されるアイコン画像に合致させることができ、ユーザーに違和感を抱かせることないアイコン表示が可能である。
【００７３】
尚、上記実施形態では、主として画像処理装置１がリモート端末２から画像処理の対象となるファイルを取得する場合を例示したが、他のリモート端末３，４からファイルを取得して画像処理を行う場合であっても上記と同様の処理を適用することが可能である。
【００７４】
（第２実施形態）
次に本発明の第２実施形態について説明する。上述した第１実施形態では、画像処理装置１がリモート端末２との通信状態を確立した時点で予めリモート端末２から全てのアイコン画像を取得する場合を説明した。ところが、リモート端末２に多数のアイコン画像が保存されている場合に上述した動作を適用すると、リモート端末２から取得したアイコン画像によるメモリ１０ｂの占有率が極端に上がってしまい、制御部１０の動作効率を低下させてしまう可能性がある。そこで本実施形態では、メモリ１０ｂの占有率を極端に上昇させることなく、少なくとも画像処理後のファイルに対応するアイコン画像を表示できるようにした実施形態について説明する。尚、本実施形態における画像処理装置１の構成は、第１実施形態で説明したものと同様である。
【００７５】
本実施形態の画像処理装置１は、記憶部１１に記憶されているファイル形式判別情報７を参照することにより、各画像処理の入力ファイルと出力ファイルのファイル形式を特定し、少なくとも画像処理後のファイル形式を示すのに必要となるアイコン画像をリモート端末２から取得する。
【００７６】
図８は、ファイル形式判別情報７の一例を示す図である。ファイル形式判別情報７は、画像処理装置１で実行可能な複数の画像処理が登録された情報であり、各画像処理について、処理前ファイル（入力ファイル）のファイル形式と、画像処理後のファイル（出力ファイル）のファイル形式とが定義された情報である。例えば画像処理Ａの場合、画像処理が行われる前のファイルのファイル形式が「ＴＩＦＦ」であり、画像処理で生成されるファイルのファイル形式が「ＪＰＥＧ」、「ＰＮＧ」又は「ＰＤＦ」であることが定義されている。尚、画像処理で生成されるファイルのファイル形式を、「ＪＰＥＧ」、「ＰＮＧ」及び「ＰＤＦ」のいずれかにするかは、ユーザーが画像処理の詳細設定を行うことにより自由に選択可能である。
【００７７】
図８に示すようなファイル形式判別情報７を参照することにより、画像処理装置１は、複数の画像処理Ａ〜Ｆで生成され得るファイルのファイル形式として、「ＪＰＥＧ」、「ＰＮＧ」、「ＰＤＦ」、「ＤＯＣ」、「ＸＭＬ」、「ＢＭＰ」及び「ＴＩＦＦ」の７種類のファイル形式があることを把握することができる。そのため、画像処理装置１は、少なくともそれら７種類のファイル形式に対応するアイコン画像をリモート端末２から取得しておけば、複数の画像処理Ａ〜Ｆのうちのいずれの画像処理が実行されたとしても、画像処理後のファイルのファイル形式に対応するアイコン画像３３を、リモート端末２から取得したアイコン画像で表示することができる。
【００７８】
図９は、第２実施形態において画像処理装置１とリモート端末２とが互いに連携する動作の一例を示す図である。まずリモート端末２と画像処理装置１とが互いに通信状態を確立させると（プロセスＰ２０，Ｐ２１）、画像処理装置１は、リモート端末２に画面リクエストを送信し（プロセスＰ２２）、リモート端末２から画面情報を取得する（プロセスＰ２３）。そして画像処理装置１は、表示制御部２３を機能させ、ユーザーによる画像処理の設定操作を受け付けるための設定画面を表示する（プロセスＰ２４）。画像処理装置１は、設定画面を表示すると、ユーザーによるファイルの選択操作を受け付ける（プロセスＰ２５）。ユーザーによるファイルの選択操作が行われると、ファイル選択部２４からファイル取得部２５に対し、リモート端末２から取得すべきファイルが指示される。そしてファイル取得部２５は、リモート端末２に対して、一のファイルを指定したファイルリクエストを送信し（プロセスＰ２６）、リモート端末２から画像処理の対象となるファイルを取得する（プロセスＰ２７）。ファイル取得部２５は、リモート端末２からファイルを取得すると、そのファイルのファイル形式を特定し、アイコン取得部２２にファイル形式を通知する。これにより、アイコン取得部２２は、画像処理の対象となるファイルのファイル形式を把握することができる。
【００７９】
アイコン取得部２２は、図８に示したファイル形式判別情報７を参照することにより、画像処理の対象となるファイルを入力ファイルとすることができる画像処理を全て特定する。例えば画像処理の対象となるファイルのファイル形式が「ＰＤＦ」である場合、図８のファイル形式判別情報７を参照すれば、２つの画像処理Ｂ，Ｃを特定することができる。さらにアイコン取得部２２は、ファイル形式判別情報７に基づき、特定した画像処理によって生成されるファイルのファイル形式を全て特定する。例えば上述したように２つの画像処理Ｂ，Ｃを特定した場合、アイコン取得部２２は、ファイル形式判別情報７を参照することにより、それら２つの画像処理Ｂ，Ｃで生成されるファイルのファイル形式として、「ＤＯＣ」、「ＸＭＬ」及び「ＪＰＥＧ」の３つのファイル形式を特定する。
【００８０】
そしてアイコン取得部２２は、リモート端末２に対し、画像処理の対象となるファイルのファイル形式である「ＰＤＦ」に対応するアイコン画像と、画像処理で生成され得るファイルのファイル形式である「ＤＯＣ」、「ＸＭＬ」及び「ＪＰＥＧ」のそれぞれに対応するアイコン画像とを要するアイコンリクエストを送信し（プロセスＰ２８）、リモート端末２から「ＰＤＦ」、「ＤＯＣ」、「ＸＭＬ」及び「ＪＰＥＧ」のそれぞれに対応するアイコン画像と、各アイコン画像がどのファイル形式を表示するものであるかを示す属性情報とを受信する（プロセスＰ２９）。
【００８１】
画像処理装置１は、表示制御部２３を機能させ、リモート端末２から取得した属性情報に基づいて、リモート端末２から取得した複数のアイコン画像のうちから、画像処理の対象となるファイルのファイル形式に対応するアイコン画像を特定する。そして表示制御部２３は、その特定したアイコン画像を、表示領域Ｒ３において画像処理前のファイルのファイル形式に対応したアイコン画像３２として表示する（プロセスＰ３０）。したがって、ユーザーによって画像処理の対象となるファイルが指定されると、表示領域Ｒ３において、画像処理の対象となる処理前のファイルのファイル形式を示すアイコン画像３２が、リモート端末２で表示されるアイコン画像と同じ画像で表示されることになる。
【００８２】
次に画像処理装置１は、ユーザーによる画像処理の選択操作を受け付ける。ユーザーによって選択される画像処理がファイル形式の異なる複数種類のファイルを生成可能である場合、画像処理装置１は、画像処理で生成するファイル形式の選択操作も受け付ける。画像処理装置１は、ユーザーによる画像処理の選択操作を受け付けると、画像処理決定部２６を機能させ、ユーザーの選択操作に基づいて画像処理を決定する（プロセスＰ３１）。そして画像処理決定部２６から画像処理部２７に対して画像処理が指示される。また画像処理決定部２６は、画像処理を決定すると、その画像処理で生成されるファイルのファイル形式を特定し、表示制御部２３にそのファイル形式を通知する。これにより、表示制御部２３は、画像処理によって生成されるファイルのファイル形式を把握することができる。そのため、表示制御部２３は、画像処理で生成されるファイルのファイル形式が確定することに伴い、リモート端末２から取得しておいた属性情報に基づいて、リモート端末２から取得した複数のアイコン画像のうちから、そのファイル形式に対応するアイコン画像を特定する。そして表示制御部２３は、その特定したアイコン画像を、表示領域Ｒ３において画像処理後のファイルのファイル形式に対応したアイコン画像３３として表示する（プロセスＰ３２）。したがって、ユーザーによって画像処理が選択されると、表示領域Ｒ３において、画像処理後のファイルのファイル形式を示すアイコン画像３３が、リモート端末２で表示されるアイコン画像と同じ画像で表示されることになる。
【００８３】
続いて画像処理装置１は、画像処理部２７を機能させて、画像処理の対象となるファイルに対する画像処理を実行して新たなファイルを生成する（プロセスＰ３３）。その後、画像処理装置１においてファイル出力部２８が機能し、画像処理で生成されたファイルが、ユーザーによって指定された出力先に出力される（プロセスＰ３４）。
【００８４】
上記のように画像処理装置１は、リモート端末２と連携動作を行うことにより、画像処理の前後のファイル形式に対応するアイコン画像３２，３３を表示するときに、リモート端末２で表示されるアイコン画像と同じアイコン画像を表示させることができるため、第１実施形態と同様の作用効果を奏する。
【００８５】
次に図９に示した連携動作を行うために、画像処理装置１で行われる処理手順について説明する。図１０は、画像処理装置１で行われる処理手順の一例を示すフローチャートである。この処理は、制御部１０のＣＰＵ１０ａがプログラム６を実行することによって行われる。画像処理装置１は、リモート端末２との通信状態を確立させると（ステップＳ２０）、リモート端末２に対して画面リクエストを送信し（ステップＳ２１）、リモート端末２から画面情報を受信する（ステップＳ２２）。そして画像処理装置１は、ユーザーによる設定操作を受け付けるための設定画面を操作パネル１２に表示する（ステップＳ２３）。
【００８６】
画像処理装置１は、設定画面を表示すると、ユーザーによるファイル選択操作を受け付け（ステップＳ２４）、リモート端末２にファイルリクエストを送信する（ステップＳ２５）。そして画像処理装置１は、リモート端末２から画像処理の対象となるファイルを受信する（ステップＳ２６）。これに伴い、画像処理装置１は、画像処理の対象となるファイルのファイル形式を特定し（ステップＳ２７）、ファイル形式判別情報７を参照する（ステップＳ２８）。これにより、画像処理装置１は、リモート端末２から取得したファイルに対して実行可能な画像処理を特定することができると共に、その画像処理で生成され得るファイルのファイル形式を全て特定することができる。
【００８７】
続いて画像処理装置１は、アイコン取得部２２を機能させる。アイコン取得部２２は、リモート端末２が保持している複数のアイコン画像のうち、ステップＳ２７，Ｓ２８で特定したファイル形式に対応するアイコン画像を要求するアイコンリクエストを送信する（ステップＳ２９）。このとき、画像処理装置１は、各アイコン画像とファイル形式とを対応付ける属性情報の送信も要求する。そして画像処理装置１は、リモート端末２からアイコン画像を受信すると（ステップＳ３０）、アイコン画像をメモリ１０ｂへ保存する。また画像処理装置１は、リモート端末２から受信する属性情報もメモリ１０ｂへ保存する。
【００８８】
表示制御部２３は、リモート端末２から取得した複数のアイコン画像の中から、画像処理の対象となるファイルのファイル形式に対応したアイコン画像を抽出する。そして表示制御部２３は、その抽出したアイコン画像を用いて、設定画面の表示領域Ｒ３における画像処理前のファイルを示すアイコン画像３２を表示する（ステップＳ３１）。
【００８９】
続いて画像処理装置１は、ユーザーによる画像処理の選択操作を受け付け（ステップＳ３２）、ユーザーによって画像処理が選択されると、ユーザーの操作に基づいて画像処理を決定し（ステップＳ３３）、その決定した画像処理で生成されるファイルのファイル形式を特定する（ステップＳ３４）。そして表示制御部２３は、リモート端末２から取得したアイコン画像の中から画像処理後のファイル形式に対応するアイコン画像を抽出し、その抽出したアイコン画像を用いて、設定画面の表示領域Ｒ３における画像処理後のファイルを示すアイコン画像３３を表示する（ステップＳ３５）。尚、リモート端末２から画像処理後のファイル形式に対応するアイコン画像を取得できなかった場合には、記憶部１１に記憶されているアイコン画像８を用いて表示する点は、第１実施形態と同様である。
【００９０】
その後、画像処理装置１は、ユーザーによる画像処理の実行指示を受け付け（ステップＳ３６）、画像処理の実行を開始し、画像処理前のファイルから画像処理後のファイルを生成する（ステップＳ３７）。画像処理が終了すると、画像処理装置１は、画像処理によって生成されたファイルをユーザーによって指定された出力先に出力し、全ての処理を終了する（ステップＳ３８）。
【００９１】
以上のように本実施形態の画像処理装置１は、リモート端末２から全てのアイコン画像を取得するのではなく、少なくとも画像処理で生成され得るファイルのファイル形式に対応したアイコン画像だけを取得する。そのため、アイコン画像によるメモリ１０ｂの占有率が極端に上がってしまうことを抑制することが可能であり、制御部１０の動作効率が低下してしまうことを防止することができる。
【００９２】
尚、本実施形態の画像処理装置１において上述した構成及び動作以外については、第１実施形態で説明したものと同様である。
【００９３】
（第３実施形態）
次に本発明の第３実施形態について説明する。上述した第２実施形態では、ファイルに対して行う画像処理が決定される前に、リモート端末２から画像処理で生成され得るファイルのファイル形式に対応するアイコン画像を取得する場合を例示した。本実施形態では、画像処理が決定された後に、リモート端末２からその画像処理で生成されるファイルのファイル形式に対応したアイコン画像を１つだけ取得する形態について説明する。尚、本実施形態においても画像処理装置１の構成は、第１実施形態で説明したものと同様である。
【００９４】
図１１は、第３実施形態において画像処理装置１とリモート端末２とが互いに連携する動作の一例を示す図である。図１１に示すプロセスＰ４０〜Ｐ４５までは、図９に示したプロセスＰ２０〜Ｐ２５と同様であるため、説明を省略する。ファイル取得部２５は、リモート端末２に対して、ユーザーによって選択されたファイルを指定したファイルリクエストを送信し（プロセスＰ４６）、リモート端末２から画像処理の対象となるファイルを取得する（プロセスＰ４７）。ファイル取得部２５は、リモート端末２からファイルを取得すると、そのファイルのファイル形式を特定し、アイコン取得部２２にそのファイル形式を通知する。
【００９５】
アイコン取得部２２は、画像処理の対象となるファイルのファイル形式が判明すると、そのファイル形式に対応するアイコン画像を要求するアイコンリクエストをリモート端末２へ送信する（プロセスＰ４８）。これにより、アイコン取得部２２は、リモート端末２から画像処理の対象となるファイルのファイル形式に対応したアイコン画像を１つ取得することができる（プロセスＰ４９）。このとき取得するアイコン画像が１つであるため、アイコン取得部２２は、リモート端末２からそのファイル形式を表示するものであるかを示す属性情報を取得する必要はない。
【００９６】
そして画像処理装置１は、表示制御部２３を機能させ、リモート端末２から取得したアイコン画像を、表示領域Ｒ３において画像処理前のファイルのファイル形式に対応したアイコン画像３２として表示する（プロセスＰ５０）。したがって、ユーザーによって画像処理の対象となるファイルが指定されると、表示領域Ｒ３において、画像処理の対象となる処理前のファイルのファイル形式を示すアイコン画像３２が、リモート端末２で表示されるアイコン画像と同じ画像で表示される。
【００９７】
次に画像処理装置１は、ユーザーによる画像処理の選択操作を受け付ける。画像処理装置１は、ユーザーによる画像処理の選択操作を受け付けると、画像処理決定部２６を機能させ、ユーザーの選択操作に基づいて画像処理を決定する（プロセスＰ５１）。そして画像処理決定部２６から画像処理部２７に対して画像処理が指示される。また画像処理決定部２６は、画像処理を決定すると、その画像処理で生成されるファイルのファイル形式を特定し、アイコン取得部２２にそのファイル形式を通知する。
【００９８】
アイコン取得部２２は、画像処理で生成されるファイルのファイル形式が判明すると、そのファイル形式に対応するアイコン画像を要求するアイコンリクエストをリモート端末２へ送信する（プロセスＰ５２）。これにより、アイコン取得部２２は、リモート端末２から画像処理で生成されるファイルのファイル形式に対応したアイコン画像を１つ取得することができる（プロセスＰ５３）。このとき取得するアイコン画像も１つであるため、アイコン取得部２２は、リモート端末２からそのファイル形式を表示するものであるかを示す属性情報を取得する必要はない。
【００９９】
そして画像処理装置１は、再び表示制御部２３を機能させ、リモート端末２から取得したアイコン画像を、表示領域Ｒ３において画像処理後のファイルのファイル形式に対応したアイコン画像３３として表示する（プロセスＰ５４）。したがって、ユーザーによって画像処理が指定されると、表示領域Ｒ３において、画像処理後のファイルのファイル形式を示すアイコン画像３３が、リモート端末２で表示されるアイコン画像と同じ画像で表示される。
【０１００】
続いて画像処理装置１は、画像処理部２７を機能させ、ユーザーによる画像処理の実行指示に基づいて画像処理の対象となるファイルに対する画像処理を実行し、新たなファイルを生成する（プロセスＰ５５）。その後、画像処理装置１においてファイル出力部２８が機能し、画像処理で生成されたファイルが、ユーザーによって指定された出力先に出力される（プロセスＰ５６）。
【０１０１】
したがって、本実施形態の画像処理装置１は、リモート端末２と上述した連携動作を行うことにより、画像処理の前後のファイル形式に対応するアイコン画像３２，３３を表示するときに、リモート端末２で表示されるアイコン画像と同じアイコン画像を表示させることができるため、第１実施形態と同様の作用効果を奏する。
【０１０２】
次に図１１に示した連携動作を行うために、画像処理装置１で行われる処理手順について説明する。図１２は、画像処理装置１で行われる処理手順の一例を示すフローチャートである。この処理は、制御部１０のＣＰＵ１０ａがプログラム６を実行することによって行われる。尚、図１２においてステップＳ４０〜Ｓ４６の処理は、図１０に示したステップＳ２０〜Ｓ２６と同様であるため、説明を省略する。
【０１０３】
画像処理装置１は、リモート端末２から画像処理の対象となるファイルを受信すると、その受信したファイルのファイル形式を特定する（ステップＳ４７）。そして画像処理装置１は、アイコン取得部２２を機能させる。アイコン取得部２２は、リモート端末２が保持している複数のアイコン画像のうち、ステップＳ４７で特定したファイル形式に対応するアイコン画像を要求するアイコンリクエストをリモート端末２へ送信する（ステップＳ４８）。画像処理装置１は、リモート端末２からアイコン画像を受信すると（ステップＳ４９）、表示制御部２３を機能させる。そして表示制御部２３は、リモート端末２から取得したアイコン画像を用いて、設定画面の表示領域Ｒ３における画像処理前のファイルを示すアイコン画像３２を表示する（ステップＳ５０）。
【０１０４】
続いて画像処理装置１は、ユーザーによる画像処理の選択操作を受け付け（ステップＳ５１）、ユーザーによって画像処理が選択されると、ユーザーの操作に基づいて画像処理を決定し（ステップＳ５２）、その決定した画像処理で生成されるファイルのファイル形式を特定する（ステップＳ５３）。そして画像処理装置１は、アイコン取得部２２を再び機能させ、リモート端末２が保持している複数のアイコン画像のうち、ステップＳ５３で特定したファイル形式に対応するアイコン画像を要求するアイコンリクエストをリモート端末２へ送信する（ステップＳ５５）。画像処理装置１は、リモート端末２からアイコン画像を受信すると（ステップＳ５６）、表示制御部２３を機能させる。そして表示制御部２３は、リモート端末２から取得したアイコン画像を用いて、設定画面の表示領域Ｒ３における画像処理後のファイルを示すアイコン画像３３を表示する（ステップＳ５７）。尚、リモート端末２から画像処理後のファイル形式に対応するアイコン画像を取得できなかった場合には、記憶部１１に記憶されているアイコン画像８を用いて表示する点は、第１実施形態と同様である。
【０１０５】
その後、画像処理装置１は、ユーザーによる画像処理の実行指示を受け付け（ステップＳ５８）、画像処理の実行を開始し、画像処理前のファイルから画像処理後のファイルを生成する（ステップＳ５９）。画像処理が終了すると、画像処理装置１は、画像処理によって生成されたファイルをユーザーによって指定された出力先に出力し、全ての処理を終了する（ステップＳ６０）。
【０１０６】
上記のように本実施形態の画像処理装置１は、画像処理前後のファイルのファイル形式に対応したアイコン画像を１つずつリモート端末２から取得するため、リモート端末２から取得するアイコン画像によるメモリ１０ｂの占有率を最小限に抑えることができるという利点がある。
【０１０７】
ただし、本実施形態では、ユーザーによって画像処理が指定された後に、画像処理装置１とリモート端末２との通信を発生させるため、画像処理が指定されてから画像処理装置１において画像処理後のファイルのファイル形式に対応するアイコン画像３３が表示されるまでに要する時間が上述した第１及び第２実施形態よりも長くなる可能性がある。そのため、上述した動作は、例えば画像処理装置１とリモート端末２との通信速度が所定値よりも高い場合に行うようにすることが好ましい。
【０１０８】
尚、本実施形態の画像処理装置１において上述した構成及び動作以外については、第１実施形態で説明したものと同様である。
【０１０９】
（第４実施形態）
次に本発明の第４実施形態について説明する。図１３は、本実施形態の画像処理装置１によるファイルの入出力の一例を示す図である。図１３に示すように、本実施形態の画像処理装置１は、同一ユーザーが所持している第１のリモート端末２及び第２のリモート端末３のそれぞれと通信状態を確立し、第１のリモート端末２から画像処理の対象となる処理前のファイルＦ１を取得し、画像処理で生成する新たなファイルＦ２を第２のリモート端末３へ出力する。例えば、第１のリモート端末２のオペレーティングシステムと、第２のリモート端末３のオペレーティングシステムとが異なる場合、第１のリモート端末２と第２のリモート端末３のそれぞれに保存されているアイコン画像が異なることがある。そのため、第２のリモート端末３が画像処理装置１からファイルＦ２を受信したときにファイルＦ２に対応するアイコン画像を表示すると、第１のリモート端末２及び画像処理装置１で表示されていたアイコン画像とはルックアンドフィールの異なるアイコン画像が表示されてしまい、ユーザーに違和感を抱かせてしまう可能性がある。そこで本実施形態では、第２のリモート端末３でファイルＦ２に対応するアイコン画像を表示するときに、第１のリモート端末２で表示されるアイコン画像を用いて表示できるようにした実施形態について説明する。
【０１１０】
図１４は、第４実施形態において、画像処理装置１とリモート端末２，３とが互いに連携する動作の一例を示す図である。まず画像処理装置１は、第１及び第２のリモート端末２，３のそれぞれと通信状態を確立させる（プロセスＰ５０，Ｐ５１，Ｐ５２）。画像処理装置１は、第１及び第２のリモート端末２，３との通信状態を確立させると、例えば第２実施形態と同様の動作を行うことにより、第１のリモート端末２からユーザーによって指定されたファイルを取得すると共に、画像処理の対象となるファイルのファイル形式に対応するアイコン画像と、画像処理で生成され得るファイルのファイル形式に対応するアイコン画像とを取得する。そしてユーザーによって画像処理が選択されることに伴い、画像処理で生成されるファイルのファイル形式に対応するアイコン画像を、第１のリモート端末２から取得したアイコン画像を用いて表示する。すなわち、図１４に示すプロセスＰ５３〜Ｐ６３は、図９に示したプロセスＰ２２〜Ｐ３２と同様である。尚、画像処理装置１が、第１のリモート端末２からアイコン画像を取得する動作は、第２実施形態で説明した動作に限られず、例えば第１実施形態で説明した動作を適用しても良いし、また第３実施形態で説明した動作を適用しても良い。
【０１１１】
そして画像処理装置１は、ユーザーによる画像処理の実行指示に基づいて画像処理部２７を機能させ、画像処理の対象となるファイルに対する画像処理を実行して新たなファイルを生成する（プロセスＰ６４）。画像処理装置１は、画像処理を実行してファイルを生成すると、その生成したファイルを第２のリモート端末３へ出力する（プロセスＰ６５）。また画像処理装置１は、第１のリモート端末２から取得したアイコン画像であって画像処理で生成したファイルのファイル形式に対応するアイコン画像を第２のリモート端末３へ出力する（プロセスＰ６６）。
【０１１２】
このように画像処理装置１は、画像処理で生成したファイルを第２のリモート端末３へ出力するとき、第１のリモート端末２から取得したアイコン画像であって画像処理で生成したファイルのファイル形式に対応するアイコン画像を第２のリモート端末３へ送信する。そのため、第２のリモート端末３は、画像処理装置１から受信したファイルのファイル形式に対応するアイコン画像を表示するとき、画像処理装置１からファイルと共に受信するアイコン画像を用いて表示することができる。その結果、第２のリモート端末３で表示されるアイコン画像は、第１のリモート端末で表示されるアイコン画像と同じ画像となり、アイコン画像のルックアンドフィールを統一させることができる。
【０１１３】
尚、本実施形態で説明した構成及び動作以外については、上記各実施形態で説明したものと同様である。
【０１１４】
（第５実施形態）
次に本発明の第５実施形態について説明する。図１５は、本実施形態の画像処理装置１によるファイルの入出力の一例を示す図である。図１５に示すように、本実施形態の画像処理装置１は、ユーザーＸが所持している第１のリモート端末２と、ユーザーＹが所持している第２のリモート端末３との通信状態を確立し、第１のリモート端末２から画像処理の対象となる処理前のファイルＦ１を取得し、画像処理で生成する新たなファイルＦ２を第２のリモート端末３へ出力する。
【０１１５】
上記利用態様において、ユーザーＸとユーザーＹとが同時に操作パネル１２を見ながら画像処理に関する設定を行うことがある。このようなケースでは、操作パネル１２において画像処理の対象となる処理前のファイルのファイル形式に対応したアイコン画像を第１のリモート端末２から取得したアイコン画像を用いて表示し、画像処理後のファイルのファイル形式に対応したアイコン画像を第２のリモート端末３から取得したアイコン画像を用いて表示することが好ましい。そこで本実施形態では、画像処理装置１が第１及び第２のリモート端末２，３のそれぞれから取得したアイコン画像を用いて画像処理前後のファイル形式に対応したアイコン画像を表示する例について説明する。
【０１１６】
図１６は、第５実施形態において、画像処理装置１とリモート端末２，３とが互いに連携する動作の一例を示す図である。尚、図１６に示すプロセスＰ７０〜Ｐ８２は、図１４に示したプロセスＰ５０〜Ｐ６２と同様である。尚、画像処理装置１が、第１のリモート端末２からアイコン画像を取得する動作は、図１６に示す動作に限られず、例えば第１実施形態で説明した動作を適用しても良いし、また第３実施形態で説明した動作を適用しても良い。
【０１１７】
ユーザーＸ又はＹの操作に基づいて画像処理を決定すると（プロセスＰ８２）、画像処理装置１は、更にユーザーＸ又はＹの操作に基づいて画像処理で生成されるファイルＦ２の出力先を決定する（プロセスＰ８３）。そしてユーザーＸ又はＹによって第２のリモート端末３が出力先として指定された場合、画像処理装置１は、第２のリモート端末３に対し、アイコンリクエストを送信する（プロセスＰ８４）。このとき、アイコン取得部２２は、画像処理で生成されるファイルＦ２のファイル形式に対応するアイコン画像を、要求するアイコンリクエストを送信する（プロセスＰ８４）。そして画像処理装置１は、ファイルＦ２の出力先である第２のリモート端末３からファイルＦ２のファイル形式に対応するアイコン画像を取得する（プロセスＰ８５）。
【０１１８】
画像処理装置１は、表示制御部２３を機能させ、第２のリモート端末３から取得したアイコン画像を用いて、表示領域Ｒ３において画像処理後のファイルＦ２のファイル形式に対応するアイコン画像３３として表示する（プロセスＰ８６）。したがって、ファイルＦ２の出力先として第２のリモート端末３が指定されると、表示領域Ｒ３において、画像処理後のファイルのファイル形式を示すアイコン画像３３が、第２のリモート端末３で表示されるアイコン画像と同じ画像で表示されることになる。一方、画像処理前のファイルのファイル形式を示すアイコン画像３２は、上述した各実施形態と同様に、第１のリモート端末２で表示されるアイコン画像と同じ画像が表示される。したがって、ユーザーＸは、画像処理の対象となるファイルＦ１のファイル形式を自身が見慣れたアイコン画像で把握することができると共に、ユーザーＹは、画像処理後のファイルＦ２のファイル形式を自身が見慣れたアイコン画像で把握することができるようになる。
【０１１９】
尚、本実施形態で説明した構成及び動作以外については、上記各実施形態で説明したものと同様である。
【０１２０】
（その他の実施形態）
アイコン取得部２２がリモート端末２からアイコン画像を取得するときには、リモート端末２のオペレーティングシステムと通信を行うようにしても良いし、リモート端末２で起動されるアプリケーションと通信を行うようにしても良い。
【０１２１】
図１７は、アイコン取得部２２がリモート端末２と行う通信の例を示す図である。図１７（ａ）は、アイコン取得部２２がリモート端末２のオペレーティングシステム４０と通信を行う場合を示している。リモート端末２においてオペレーティングシステム４０が各種のファイル形式に対応したアイコン画像を管理している場合、アイコン取得部２２は、図１７（ａ）に示すようにリモート端末２のオペレーティングシステム４０にアクセスし、オペレーティングシステム４０のＡＰＩ（Application Programming Interface）に対してアイコン画像を要求するリクエストを送信することにより、オペレーティングシステム４０が管理している複数のアイコン画像のうちから特定のファイル形式に対応するアイコン画像を取得する。つまり、このケースでは、アイコン取得部２２は、リモート端末２のオペレーティングシステム４０から直接アイコン画像を取得することができる。そのため、リモート端末２においてアプリケーションが起動されていない状態であっても、アイコン取得部２２は、リモート端末２からアイコン画像を取得することができる。
【０１２２】
図１７（ｂ）は、アイコン取得部２２がリモート端末２で起動されるアプリケーション４１と通信を行う場合を示している。リモート端末２において起動されるアプリケーション４１が各種のファイル形式に対応したアイコン画像を管理している場合、アイコン取得部２２は、図１７（ｂ）に示すようにリモート端末２で起動されるアプリケーション４１に対してアイコン画像を要求するリクエストを送信し、アプリケーション４１において管理されるアイコン画像を取得する。したがって、このケースでは、オペレーティングシステム４０がアイコン画像を送信するＡＰＩを搭載していない場合であっても、アプリケーション４１を介して画像処理装置１がリモート端末２からアイコン画像を取得することが可能である。
【０１２３】
上述した第１乃至第５実施形態では、図１７（ａ）及び（ｂ）に示した通信形態のうちのいずれの通信形態を採用しても良い。
【０１２４】
（変形例）
以上、本発明に関する幾つかの実施形態について説明したが、本発明は、上記実施形態において説明した内容のものに限られるものではなく、種々の変形例が適用可能である。
【０１２５】
例えば上記実施形態では、画像処理装置１がコピー機能やスキャン機能、プリント機能などを備えるＭＦＰなどで構成される場合について説明した。しかし、画像処理装置１は、ＭＦＰなどのようにコピー機能やスキャン機能、プリント機能などを備えたものに限られない。すなわち、画像処理装置１は、ファイル形式の変換を伴う、少なくとも１つの画像処理を実行可能なものであれば良い。
【符号の説明】
【０１２６】
１  画像処理装置
２，３，４  リモート端末
１０  制御部
１１  記憶部
１３  無線通信インタフェース（通信部）
１４  ネットワークインタフェース（通信部）
１２ａ  表示部
２１  表示情報取得部
２２  アイコン取得部（アイコン取得手段）
２３  表示制御部（表示制御手段）
２４  ファイル選択部
２５  ファイル取得部
２６  画像処理決定部（画像処理決定手段）
２７  画像処理部（画像処理手段）
２８  ファイル出力部
【図１】
2019008436.tif 000003
【図２】
2019008436.tif 000004
【図３】
2019008436.tif 000005
【図４】
2019008436.tif 000006
【図５】
2019008436.tif 000007
【図６】
2019008436.tif 000008
【図７】
2019008436.tif 000009
【図８】
2019008436.tif 000010
【図９】
2019008436.tif 000011
【図１０】
2019008436.tif 000012
【図１１】
2019008436.tif 000013
【図１２】
2019008436.tif 000014
【図１３】
2019008436.tif 000015
【図１４】
2019008436.tif 000016
【図１５】
2019008436.tif 000017
【図１６】
2019008436.tif 000018
【図１７】
2019008436.tif 000019